(57)【要約】【課題】掻き上げ体がカーペットの毛足の中に沈み込んで転動しながらカーペット内のゴミを掻き上げるとき、ゴミ受けをカーペットの表面上に浮き上がるように変位させて前進可能にした清掃具において、清掃効率を向上すること。【解決手段】掻き上げ体１６が掻き上げるゴミを受けるゴミ受け２３をフレーム１５に上下動可能に支持してなる清掃具１０であって、ゴミ受け２３がフレーム１５に対して上下動するときに、ゴミ受け２３の先端エッジｅが掻き上げ体１６の外周に対してなす距離関係を略一定するもの。【選択図】  図２
2004351070.tif 000002
【特許請求の範囲】
【請求項１】
清掃面上を転動してゴミを掻き上げる掻き上げ体をフレームに回転自在に支持するとともに、
掻き上げ体に対する清掃進み方向の後部で、清掃面上を摺接するように配置され、掻き上げ体が掻き上げるゴミを受けるゴミ受けをフレームに上下動可能に支持してなる清掃具であって、
ゴミ受けがフレームに対して上下動するときに、ゴミ受けの先端エッジが掻き上げ体の外周に対してなす距離関係を略一定にする清掃具。
【請求項２】
前記ゴミ受けを、フレームとの間に設けられる掻き上げ体から遠い側の後方支持部と、掻き上げ体に近い側の前方支持部のそれぞれが備えるスライドガイドに沿ってスライド可能に支持し、前方支持部のスライドガイドを掻き上げ体の回転中心軸を中心にする円弧状とした請求項１に記載の清掃具。
【請求項３】
前記ゴミ受けを、フレームとの間に設けられる支持部が備えるスライドガイドに沿ってスライド可能に支持し、該ゴミ受けの先端エッジを通る連結軸と掻き上げ体の回転中心軸を通る連結軸とをリンクにより連結した請求項１に記載の清掃具。
【発明の詳細な説明】
【０００１】
【発明の属する技術分野】
本発明は、畳、フローリング、カーペット等の清掃面の清掃に用いて好適な清掃具に関する。
【０００２】
【従来の技術】
特許文献１では、清掃具として、図６に示す如く、フレーム１に掻き上げ体２とゴミ受け（塵取り）３と粘着ロール４を設けている。ゴム受け３のすくい面部３Ａは掻き上げ体２の外周に接するように後続し、掻き上げ体２が掻き上げた清掃面上のゴミをすくい面部３Ａによりゴミ収容部３Ｂと粘着ロール４の側にガイドする。小さなゴミは粘着ロール４に、大きなゴミはゴミ収容部３Ｂに捕捉する。
【０００３】
特許文献１の清掃具では、ゴミ受け３をフレーム１に上下動可能に支持し、カーペットの清掃時に、図７に示す如く、掻き上げ体２を構成するブラシがカーペットの毛足の中に沈み込んで転動しながらカーペット内のゴミを掻き上げるとき、ゴミ受け３がカーペットの毛足の表面上に浮き上がるように変位し、すくい面部３Ａの先端エッジがカーペットの毛足の中に突き刺さって清掃具の前進に対する大きな抵抗が生ずることを防止しようとしている。
【０００４】
【特許文献１】
特開２００３−１１１７０４（３頁、図１）
【０００５】
【発明が解決しようとする課題】
特許文献１の清掃具において、ゴミ受け３をフレーム１に上下動可能に支持する構造は、ゴミ受け３をフレーム１における掻き上げ体２から遠い側に設けた枢支部１Ａにピン支持するとともに、掻き上げ体２に近い側に設けたスライドガイド１Ｂに沿ってスライド可能に支持するものである。このため、ゴミ受け３は枢支部１Ａを回転中心として揺動することにより上下動するものとなり、ゴミ受け３の上方への移動時にすくい面部３Ａの先端エッジｅが掻き上げ体２との距離を縮める方向に移動する。ゴミ受け３の上方への移動により、すくい面部３Ａの先端エッジｅが掻き上げ体２との距離を縮めて掻き上げ体２のブラシ内にもぐり込む如くを生ずる場合には、すくい面部３Ａの先端エッジｅが掻き上げ体２の回転の抵抗になって掻き上げ体２の回転が阻止され、清掃不能になる。
【０００６】
そこで、ゴミ受け３が上方へ移動しても、すくい面部３Ａの先端エッジｅが掻き上げ体２のブラシ内にもぐり込まないように、すくい面部３Ａを先端エッジ側の急勾配面部４とそれに続く緩勾配面部５とし、急勾配面部４の先端エッジｅを掻き上げ体２の外周から遠ざけている。しかしながら、この場合には、ゴミ受け３の急勾配面部４と掻き上げ体２の外周との間に大きなデッドスペース６を生じ（図６）、掻き上げ体２はデッドスペース６に入ったゴミをいつまでも掻き上げできず、清掃効率が悪い。
【０００７】
本発明の課題は、掻き上げ体がカーペットの毛足の中に沈み込んで転動しながらカーペット内のゴミを掻き上げるとき、ゴミ受けをカーペットの表面上に浮き上がるように変位させて前進可能にした清掃具において、清掃効率を向上することにある。
【０００８】
【課題を解決するための手段】
請求項１の発明は、清掃面上を転動してゴミを掻き上げる掻き上げ体をフレームに回転自在に支持するとともに、掻き上げ体に対する清掃進み方向の後部で、清掃面上を摺接するように配置され、掻き上げ体が掻き上げるゴミを受けるゴミ受けをフレームに上下動可能に支持してなる清掃具であって、ゴミ受けがフレームに対して上下動するときに、ゴミ受けの先端エッジが掻き上げ体の外周に対してなす距離関係を略一定にするようにしたものである。
【０００９】
【発明の実施の形態】
（第１実施形態）（図１〜図３）
清掃具１０は、図１〜図３に示す如く、柄１１の先端部に継手部１２を介して支持アーム１３を結合し、支持アーム１３の両側アーム部１３Ａに支軸部１４（不図示）を介してフレーム１５を前後方向に揺動自在に支持している。
【００１０】
フレーム１５の前部には可撓掻き上げ体１６が回転軸１７を介して回動自在に支持され、フレーム１５の後部には回転体１８が回転軸１９を介して回動自在に支持され、掻き上げ体１６と回転体１８は平行に並べられて配置される。
【００１１】
掻き上げ体１６は、支軸１６Ａと、支軸１６Ａの周囲に、軸方向の全長に渡ってブラシが植設されたブラシ車からなる掻き上げ部１６Ｂと、支軸１６Ａの両端部に結合された両側のタイヤ部１６Ｃからなり、タイヤ部１６Ｃに前述の回転軸１７を備える。掻き上げ部１６Ｂは粘着ロール２１に接触しても、接触しなくても良い。両側のタイヤ部１６Ｃはフレーム１５の両外側に配置される。掻き上げ体１６は、タイヤ部１６Ｃを清掃面上で転動させることにより、支軸１６Ａとともに回転する掻き上げ部１６Ｂにより清掃面上のゴミを掻き上げる。
【００１２】
回転体１８は、支軸１８Ａと、支軸１８Ａの軸方向の両端側２位置（軸方向３位置等の複数位置でも可）に設けられる円盤状の回転子１８Ｂと、支軸１８Ａの両端部に固定された両側のタイヤ部１８Ｃからなり、タイヤ部１８Ｃは前述の回転軸１９を備える。回転子１８Ｂは粘着ロール２１に接触する。両側のタイヤ部１８Ｃはフレーム１５の両外側に配置され、清掃面上を転動する。尚、回転体１８の回転子１８Ｂは、シリコンゴム製Ｏリング等の環状リング１８Ｄを外周に備える。環状リング１８Ｄは回転子１８Ｂに設けた環状溝に装填される。
【００１３】
清掃具１０は、掻き上げ体１６の掻き上げ部１６Ｂが掻き上げたゴミを捕捉するゴミ捕捉手段２０を、粘着ロール２１とゴミ受け２３により構成する。
【００１４】
即ち、掻き上げ体１６と回転体１８の回転子１８Ｂ（環状リング１８Ｄ）の上には、それらに跨がる粘着ロール２１が乗せられ、粘着ロール２１は掻き上げ体１６と回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１５】
フレーム１５における掻き上げ体１６に対する清掃進み方向の後部にはゴミ受け２３が支持されている。ゴミ受け２３は、清掃面に接する底面部２３Ａと、掻き上げ体１６の掻き上げ部１６Ｂに隙間なく接して（又は隙間を介して）相対する曲面状（又は平面状）のすくい面部２３Ｂと、回転体１８の回転子１８Ｂの下方の前後に渡る範囲に延在される凹状のゴミ収容部２３Ｃを有する。
【００１６】
ゴミ受け２３は、掻き上げ体１６の清掃進み方向の後部で、フレーム１５に後述する如くに上下に揺動可能に支持され、自重により底面部２３Ａとすくい面部２３Ｂの最下端部を清掃面上に隙間なく摺接するように配置され、掻き上げ体１６の掻き上げ部１６Ｂが掻き上げるゴミを清掃面に沿う後方に逃がすことなく、その全てのゴミをすくい面部２３Ｂにより粘着ロール２１の側にガイドし、大きなゴミはすくい面部２３Ｂに後続するゴミ収容部２３Ｃに送り込む。
【００１７】
清掃具１０では、ゴミ受け２３をフレーム１５に対し、掻き上げ体１６とは独立に上下動可能に支持した。このとき、ゴミ受け２３のすくい面部２３Ｂの先端エッジｅが掻き上げ体１６の掻き上げ部１６Ｂの外周に対して隙間なく接して（又は隙間を介して）相対する距離関係を、ゴミ受け２３の上下位置にかかわらず、略一定にする。具体的には、ゴミ受け２３を、フレーム１５との間に設けられる、掻き上げ体１６から清掃進み方向において遠い側（ゴミ受け２３の後端部の側）の後方支持部４０と、近い側（ゴミ受け２３の前端部の側）の先方支持部５０のそれぞれに支持する。後方支持部４０において、ゴミ受け２３の後方両側壁に設けた略角孔の上辺からなる略水平方向に延びる後方スライドガイド４１を、フレーム１５の両側壁に設けた後方ピン４２に略水平方向にスライド可能に支持する。前方支持部５０において、ゴミ受け２３の前方両側壁に設けた前方ピン５１を、フレーム１５の両側壁に設けた後方に向けて斜め上向きに延びる長孔の後側辺からなる前方スライドガイド５２に斜め方向のスライド可能に支持する。前方支持部５０の前方スライドガイド５２を掻き上げ体１６の回転中心軸（支軸１６Ａと同軸）を中心にする円弧状とした。
【００１８】
尚、清掃具１０では、ゴミ受け２３の後方支持部４０の後方スライドガイド４１をフレーム１５の後方ピン４２から係脱可能にしており、スライドガイド４１をピン４２から外した状態で、ゴミ受け２３を前方支持部５０まわりに回動することにより、ゴミ受け２３のゴミ収容部２３Ｃをフレーム１５の外方に開放可能とする。
【００１９】
清掃具１０による清掃動作は以下の如くなされる。
（１）柄１１の軸方向に加える操作力により清掃具１０を前進させ、掻き上げ体１６及び回転体１８を清掃面上にて転動させるとともに、ゴミ受け２３を清掃面上に摺接させ、同時に粘着ロール２１を掻き上げ体１６、回転体１８の回転に連れ回りさせる。
【００２０】
（２）掻き上げ体１６の掻き上げ部１６Ｂが清掃面上のゴミを掻き上げると、このゴミはゴミ受け２３のすくい面部２３Ｂにガイドされて粘着ロール２１の側に送り出され、粘着ロール２１の粘着面に吸着捕捉される。大きなゴミはすくい面部２３Ｂからゴミ収容部２３Ｃに送り込まれる。
【００２１】
フローリングの清掃時には、図１に示す如く、掻き上げ体１６の掻き上げ部１６Ｂがフローリング上を転動するとともに、ゴミ受け２３がフローリング上に摺接する。ゴミ受け２３のすくい面部２３Ｂの先端エッジｅは、掻き上げ体１６の掻き上げ部１６Ｂに隙間なく接するように後続配置し、掻き上げ部１６Ｂが掻き上げたフローリング上のゴミをすくい面部２３Ｂにてガイドする。
【００２２】
カーペットの清掃時には、図２に示す如く、掻き上げ体１６の掻き上げ部１６Ｂがカーペットの毛足の中に沈み込んで転動するとともに、ゴミ受け２３がカーペットの毛足の表面上に浮き上がるように上方に移動する。ゴミ受け２３のすくい面部２３Ｂの先端エッジｅは、この場合にも、掻き上げ体１６の掻き上げ部１６Ｂに隙間なく接するように後続配置し、掻き上げ部１６Ｂが掻き上げたカーペット内のゴミをすくい面部２３Ｂにてガイドする。
【００２３】
（３）透明カバー１５Ａを通して粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００２４】
本実施形態によれば以下の作用効果を奏する。
▲１▼ゴミ受け２３をフレーム１５に上下動可能に支持したから、カーペットの清掃時に、図２に示す如く、掻き上げ体１６の掻き上げ部１６Ｂを構成するブラシがカーペットの毛足の中に沈み込んで転動しながらカーペット内のゴミを掻き上げるとき、ゴミ受け２３がカーペットの毛足の表面上に浮き上がるように変位し、すくい面部２３Ｂの先端エッジｅがカーペットの毛足の中に突き刺さって清掃具１０の前進に対する大きな抵抗が生ずることを防止できる。
【００２５】
▲２▼上述▲１▼においてゴミ受け２３がフレーム１５に対して上下動するときに、ゴミ受け２３の先端エッジｅが掻き上げ体１６の外周に対してなす距離関係を略一定にした。従って、ゴミ受け２３が上方へ移動しても、ゴミ受け２３の先端エッジｅが掻き上げ体１６のブラシ内にもぐり込んで掻き上げ体１６の回転を阻止することがない。掻き上げ体１６はスムースに回転して掻き上げ動作を続ける。
【００２６】
▲３▼ゴミ受け２３の上下動の全域において、ゴミ受け２３の先端エッジｅが掻き上げ体１６の外周に対してなす距離関係を略一定にするから、フローリングの清掃時にも、カーペットの清掃時にも、ゴミ受け２３の先端エッジｅを常に掻き上げ体１６の外周に隙間なく接するように後続配置できる。ゴミ受け２３の先端エッジｅと掻き上げ体１６の外周との間に大きなデッドスペースを生じさせることがなく、清掃効率は良い。
【００２７】
▲４▼ゴミ受け２３とフレーム１５との間に設けられる前方支持部５０のスライドガイド５２を掻き上げ体１６の回転中心軸を中心にする円弧状としたから、ゴミ受け２３の先端エッジｅが掻き上げ体１６の外周に対してなす距離関係を簡易に略一定化できる。
【００２８】
（第２実施形態）（図４、図５）
第２実施形態の清掃具１０にあっても、第１実施形態と同様に、ゴミ受け２３をフレーム１５に対し上下動可能に支持し、ゴミ受け２３のすくい面部２３Ｂの先端エッジｅが掻き上げ体１６の掻き上げ部１６Ｂの外周に対して隙間なく接して（又は隙間を介して）相対する距離関係を、ゴミ受け２３の上下位置にかかわらず、略一定にする。
【００２９】
第２実施形態の清掃具１０が第１実施形態と異なる点は、フレーム１５に対するゴミ受け２３の支持構造である。即ち、ゴミ受け２３を、フレーム１５との間に設けられる、該ゴミ受け２３の後端部の側の支持部４０に支持する。支持部４０において、ゴミ受け２３の後方両側壁に設けた略角孔の上辺からなる略水平方向に延びるスライドガイド４１をフレーム１５の両側壁に設けたピン４２に略水平方向にスライド可能に支持する。ゴミ受け２３のすくい面部２３Ｂの両外側部でその先端エッジｅを通るように設けた連結軸４３Ａと、掻き上げ体１６の掻き上げ部１６Ｂの両外側部でその回転中心軸を通るように設けた連結軸４３Ｂとをリンク４３により連結した。
【００３０】
第２実施形態によれば、ゴミ受け２３の先端エッジｅを通る連結軸４３Ａと掻き上げ体１６の回転中心軸を通る連結軸４３Ｂとをリンク４３により連結したから、ゴミ受け２３の先端エッジｅが掻き上げ体１６の外周に対してなす距離関係を簡易に略一定化できる。
【００３１】
【発明の効果】
本発明によれば、掻き上げ体がカーペットの毛足の中に沈み込んで転動しながらカーペット内のゴミを掻き上げるとき、ゴミ受けをカーペットの表面上に浮き上がるように変位させて前進可能にした清掃具において、清掃効率を向上することができる。
【図面の簡単な説明】
【図１】図１は第１実施形態の清掃具を示す模式側面図である。
【図２】図２は清掃具によるカーペットの清掃状態を示す模式側面図である。
【図３】図３は清掃具を示す模式平面図である。
【図４】図４は第２実施形態の清掃具を示す模式側面図である。
【図５】図５は清掃具によるカーペットの清掃状態を示す模式側面図である。
【図６】図６は従来例の清掃具を示す模式側面図である。
【図７】図７は従来例の清掃具によるカーペットの清掃状態を示す模式側面図である。
【符号の説明】
１０  清掃具
１５  フレーム
１６  掻き上げ体
２３  ゴミ受け
４０  後方支持部
４１  スライドガイド
４２  ピン
４３  リンク
４３Ａ、４３Ｂ  連結軸
５０  前方支持部
５２  スライドガイド
【図１】
2004351070.tif 000003
【図２】
2004351070.tif 000004
【図３】
2004351070.tif 000005
【図４】
2004351070.tif 000006
【図５】
2004351070.tif 000007
【図６】
2004351070.tif 000008
【図７】
2004351070.tif 000009